(57)【特許請求の範囲】
【請求項１】
音声を送話するマイクと、送話された音声を再生するスピーカーと、相手のインターホンに音声を送話開始する通話スイッチと、該通話スイッチの１回目の操作により送話状態とすると共に２回目の操作により受話状態に切り替える送受話切替手段と、前記マイクとスピーカーによりハンズフリー送話状態となる第１インターホンと第２インターホンとからなるインターホン装置に於いて、通話スイッチの２回目の操作により相手のインターホンに送話権を移行するための送受話切替信号を送信する通話切替信号生成手段と送話が可能な送話状態と送話ができない送話禁止状態とを切り替えて設定する送話可否切替手段を備え、前記送受話切替信号を受信するとマイクによるハンズフリー送話状態になると共に、相手のインターホンが送信した送受話切替信号を受信して送話権が移行された時、前記送話可否切替手段の設定に基づいて送話状態又は送話禁止状態とすることを特徴とするインターホン装置。
【請求項２】
相手のインターホンが送信した送受話切替信号を受信して送話権が移行された時、送話可否切替手段の設定に基づいて送話禁止状態となった場合、送話禁止状態であることを表示する状態表示手段を設けたことを特徴とする請求項１記載のインターホン装置。
【請求項３】
相手のインターホンが送信した送受話切替信号を受信して送話権が移行された時、送話可否切替手段の設定に基づいて送話禁止状態となった場合、その状態で通話スイッチが操作された時、一時的に送話禁止状態を解除して送話状態とすることを特徴とする請求項１記載のインターホン装置。
【発明の詳細な説明】
【０００１】
【発明の属する技術分野】
本発明は、離間した第１の場所と第２の場所で音声通話を行うインターホン装置に関する。
【０００２】
【従来の技術】
従来よりこの種のインターホン装置においては、例えば特開平９−２３３５６５号に開示されているように、浴室外インターホンの通話スイッチを押している間だけ浴室外の音声を浴室内インターホンに送話し、この通話スイッチが離されると浴室内インターホンが浴室内の音声を浴室外インターホンに送話するようにして、浴室内のハンズフリー通話を可能にしたものがあった。
【０００３】
【発明が解決しようとする課題】
しかし、この従来のものでは、入浴者は気づかないうちに浴室内の音を浴室外インターホンで聞かれてしまう可能性があり、プライバシー保護の観点から好ましいものではなかった。
【０００４】
【問題点を解決するための手段】
そこで、本発明は前記課題を解決するため、請求項１では、音声を送話するマイクと、送話された音声を再生するスピーカーと、相手のインターホンに音声を送話開始する通話スイッチと、該通話スイッチの１回目の操作により送話状態とすると共に２回目の操作により受話状態に切り替える送受話切替手段と、前記マイクとスピーカーによりハンズフリー送話状態となる第１インターホンと第２インターホンとからなるインターホン装置に於いて、通話スイッチの２回目の操作により相手のインターホンに送話権を移行するための送受話切替信号を送信する通話切替信号生成手段と送話が可能な送話状態と送話ができない送話禁止状態とを切り替えて設定する送話可否切替手段を備え、前記送受話切替信号を受信するとマイクによるハンズフリー送話状態になると共に、相手のインターホンが送信した送受話切替信号を受信して送話権が移行された時、前記送話可否切替手段の設定に基づいて送話状態又は送話禁止状態とするものである。
【０００５】
これにより一方のインターホン例えば浴室外のインターホンから通話が要求された時、この最初に通話スイッチを押圧したインターホン側に送話権の決定権があるため、インターホン通話を要求した側のペースで他方のインターホン例えば浴室内のインターホンと通話することができ使い勝手がよいと共に、インターホン通話を要求された他方のインターホンでは、入浴者がインターホンに一切触れることのないハンズフリー通話が可能となるため、例えば洗髪中に一方のインターホンから通話要求があった場合などに洗髪を続けながらの通話応対が可能となるものである。
又、通常は他方のインターホン側はハンズフリーでインターホン通話が可能であるが、例えば入浴者が浴室内の音を勝手に聞かれたくない場合には、相手のインターホンが送信した送受話切替信号を受信して送話権がこちらのインターホンに移行された時に、送話可否切替手段によって送話禁止状態となっていた時、送話禁止状態とすることができるため、入浴者自らがプライバシーを守ることが可能となる。
【０００６】
また、請求項２では、相手のインターホンが送信した送受話切替信号を受信して送話権が移行された時、送話可否切替手段の設定に基づいて送話禁止状態となった場合、送話禁止状態であることを表示する状態表示手段を設けたものである。
【０００７】
これにより、インターホンが送話禁止状態となっていることを報知することができるものである。
【０００８】
また、請求項３では、相手のインターホンが送信した送受話切替信号を受信して送話権が移行された時、送話可否切替手段の設定に基づいて送話禁止状態となった場合、その状態で通話スイッチが操作された時、一時的に送話禁止状態を解除して送話状態とするものである。
【０００９】
これにより、送話禁止状態であるインターホン側がインターホン通話を望んだ時、インターホン通話ができるものである。
【００１０】
【発明の実施の形態】
次に、本発明の一実施形態を図面に基づいて説明する。
図１において、１は台所等の浴室外に設けられたインターホン機能付の浴室外リモコン（浴室外インターホン）、２は浴室内に設けられたインターホン機能付の浴室内リモコン（浴室内インターホン）、３は石油給湯機（図示せず）の本体制御部、４は前記浴室外リモコン１と浴室内リモコン２と本体制御部３とをそれぞれ接続する２芯コードで、これら給湯機がもともと有しているリモコン装置を利用して浴室用インターホン装置を構成しているものである。
【００１１】
まず、前記浴室外リモコン１について説明すると、１０１はこの浴室外リモコン１の制御を行うマイコン、１０２はマイコン１０１の指示に基づき給湯温度や時刻や給湯機の状態およびこの浴室外リモコン１がインターホン機能の送話状態か受話状態かを表示する状態表示手段（報知手段）、１０３は浴室外の音声を前記２芯コード４を介して浴室内リモコン２に送話するためのマイク、１０４は前記２芯コード４を介して浴室内リモコン２から送話された音声を再生し、かつマイコン１０１の指示に基づき送話状態と受話状態の切替時に切替音を出力するスピーカ（報知手段）、１０５は浴室内リモコン２へ音声を送話開始させる通話スイッチである。
【００１２】
１０６は前記２芯コード４を介して浴室外リモコン１と本体制御部３の制御データの通信を行うための制御データ通信手段で、給湯温度変更スイッチ（図示せず）やその他の給湯機に動作指示をするリモコンスイッチ（図示せず）の押圧による各種の指令データを本体制御部３に送信し、本体制御部３からの現在の給湯温度データや作動状態データ、表示データ、報知データなどを受信するものである。
【００１３】
１０７はマイク１０３で拾った浴室外リモコン１の周囲の音を音声信号としてキャリア波に乗せてＡＭ変調するＡＭ変調手段、１０８は前記浴室内リモコン２から送られてくるキャリア波に乗った音声信号を復調しスピーカ１０４へ送るＡＭ復調手段である。
【００１４】
１０９は送話状態と受話状態とを切り替える送受話切替手段で、この浴室外リモコン１の通話スイッチ１０５が一回目の押圧がなされると送話状態としてインターホン通話を開始し、浴室外の音を浴室内リモコン２に送話開始した後に、この通話スイッチ１０５の二回目の押圧がなされると、浴室内の音を受信する受話状態に切り替えるものである。
【００１５】
詳しくは、通話スイッチ１０５の二回目の押圧がなされると、通話切替信号生成手段１１０が浴室内リモコン２に送話権を移行するための特定の音声信号（送受話切替信号）を生成する。そしてこの送受話切替信号を前記２芯コード４を介して浴室内リモコン２に送信し、送話権を前記浴室内リモコン２に移すと、前記ＡＭ変調手段１０７を停止してＡＭ復調手段１０８を作動させて受話状態に切り替えるものである。また逆に、送受話切替信号フィルタ手段１１１で浴室内リモコン２からの特定の音声信号による送受話切替信号を分離受信すると、前記ＡＭ復調手段１０８を停止してＡＭ変調手段１０７を作動させて送話状態に切り替えるものである。
【００１６】
これにより、浴室外リモコン１の通話スイッチ１０５の一回目の押圧操作によって、浴室外の音声を浴室内リモコン２に送話する送話状態となり、また前記通話スイッチ１０５の二回目の押圧操作によって、浴室外リモコン１が送話状態から受話状態に切り替わり、浴室内では入浴者が浴室内リモコン２に触れることなく浴室外と交互に会話することが可能となる。
【００１７】
次に、前記浴室内リモコン２について説明すると、２０１はこの浴室内リモコン２の制御を行うマイコン、２０２はマイコン２０１の指示に基づき風呂温度や時刻や給湯機の状態およびこの浴室内リモコン２がインターホン機能の送話状態か受話状態かを表示する状態表示手段（報知手段）、２０３は浴室内の音声を前記２芯コード４を介して浴室外リモコン１に送話するためのマイク、２０４は前記２芯コード４を介して浴室外リモコン１から送話された音声を再生し、かつマイコン１０１の指示に基づき送話状態と受話状態の切替時に切替音を出力するスピーカ（報知手段）、２０５は浴室外リモコン１へ音声を送話開始させる通話スイッチである。
【００１８】
２０６は前記２芯コード４を介して浴室内リモコン２と本体制御部３の制御データの通信を行うための制御データ通信手段で、風呂温度変更スイッチ（図示せず）やその他の給湯機に動作指示をするリモコンスイッチ（図示せず）の押圧による各種の指令データを本体制御部３に送信し、本体制御部３からの現在の風呂温度データや作動状態データなどを受信するものである。
【００１９】
２０７はマイク２０３で拾った浴室内リモコン２の周囲の音を音声信号としてキャリア波に乗せてＡＭ変調するＡＭ変調手段、２０８は前記浴室外リモコン１から送られてくるキャリア波に乗った音声信号を復調するＡＭ復調手段である。
【００２０】
２０９は送話状態と受話状態とを切り替える送受話切替手段で、この浴室内リモコン２の通話スイッチ２０５が一回目の押圧がなされると送話状態としてインターホン通話を開始し、浴室内の音を浴室外リモコン１に送話開始した後に、この通話スイッチ２０５の二回目の押圧がなされると、浴室外の音を受信する受話状態に切り替えるものである。
【００２１】
詳しくは、通話スイッチ２０５の二回目の押圧がなされると、通話切替信号生成手段２１０が浴室外リモコン１に送話権を移行するための特定の音声信号（送受話切替信号）を生成する。そしてこの送受話切替信号を前記２芯コード４を介して浴室外リモコン１に送信し、送話権を前記浴室外リモコン１に移すと、前記ＡＭ変調手段２０７を停止してＡＭ復調手段２０８を作動させて受話状態に切り替えるものである。また逆に、送受話切替信号フィルタ手段２１１で浴室外リモコン１からの特定の音声信号による送受話切替信号を受信すると、前記ＡＭ復調手段２０８を停止してＡＭ変調手段２０７を作動させて送話状態に切り替えるものである。
【００２２】
このように、浴室内リモコン２の通話スイッチ２０５の一回目の押圧操作によって、浴室内の音声を浴室外リモコン１に送話する送話状態となり、また前記通話スイッチ２０５の二回目の押圧操作によって、浴室内リモコン２が送話状態から受話状態に切り替わり、浴室外では浴室外リモコン１付近にいる人が浴室外リモコン１に触れることなく浴室内と交互に会話することが可能となる。
【００２３】
また、２１２は浴室内リモコン２の送話の許可・禁止を切り替える送話可否切替手段で、前記通話スイッチ２０５の通常操作とは異なる所定操作（ここでは一定時間継続押し）により浴室内リモコン２の音声を送話可能とする送話許可状態か送話禁止する送話禁止状態を切り替えるものである。
【００２４】
ここで、通話中か否かに関わらず通話スイッチ２０５の一定時間継続押しにより送話禁止状態に切り替えられるとＡＭ変調手段２０７を停止させて浴室内の音声を浴室外リモコン１に送話するのを禁止し、また送話許可状態に切り替えられると送話権の有無に応じてＡＭ変調手段２０７を作動させて浴室内の音声を浴室外リモコン１に送話可能とするものであって、浴室外リモコン１で通話スイッチ１０５の押圧操作がされて浴室内リモコン２に送話権が移ったときにこの送話可否切替手段２１２の状態に応じて浴室内の音声を浴室外リモコン１へ送話するか否かを選択できるものである。
【００２５】
なお、前記通話スイッチ２０５の通常操作とは異なる所定操作は、上記説明のような一定時間継続押しに限らず、例えば一定時間内の複数回押圧でもよく、要は通常操作とは異なる所定操作であれば新たにスイッチを増やしたりすることなく、入浴者のプライバシーを保護するための機能を追加することが可能となる。
【００２６】
次に、前記本体制御部３について説明すると、３０１は燃焼や温度制御などの給湯機の制御を行うマイコン、３０２は前記２芯コード４を介して浴室外リモコン１および浴室内リモコン２に電源を供給する電源供給手段、３０３は前記２芯コード４を介して浴室外リモコン１および浴室内リモコン２と制御データの送受を行う制御データ通信手段である。
【００２７】
３０４は前記浴室外リモコン１または浴室内リモコン２から送信されるキャリア波に乗った音声信号をＡＭ復調するＡＭ復調手段、３０５はＡＭ復調した音声信号から特定の音声信号（送受話切替信号）を取り出す送受話切替信号フィルタ手段であり、通話開始後に二回目以降の通話スイッチ１０５または２０５が押圧されて、通話切替信号を受信すると、一度給湯機本体の制御データを浴室外リモコン１および浴室内リモコン２に送信するとともに、通話スイッチ１０５または２０５を最初に押圧したリモコンが有していた送話権を他のリモコンに移すものである。
【００２８】
次に、この一実施形態の作動について図２、図３に基づいて説明すると、浴室外リモコン１の通話スイッチ１０５が一回目に押圧されると、浴室外リモコン１は通話開始データを含む制御データを制御データ通信手段１０６を介して浴室内リモコン２に送信すると共に、ＡＭ変調手段１０７を作動しマイク１０３で拾った音声信号をキャリア波に乗せてＡＭ変調し、浴室内リモコン２へ送信開始し、さらにスピーカ１０４を駆動して通話開始のブザー音を発すると共に状態表示手段１０２に通話開始して送話状態にあることを文字（例えば「送話中」）または図形（例えば「マイクの絵」や「耳の絵」）により表示する。
【００２９】
そして、通話開始データを含む制御データを制御データ通信手段２０６を介して受信した浴室内リモコン２は、ＡＭ復調手段２０８を作動させて浴室外リモコン１からのキャリア波に乗った音声信号をスピーカ２０４で再生可能とし、さらにスピーカ２０４を駆動して通話開始のブザー音を発すると共に状態表示手段２０２に通話開始して受話状態にあることを文字（例えば「受話中」）または図形（例えば「スピーカの絵」や「口の絵」）により表示する。そして、ＡＭ復調手段２０８で復調した浴室外リモコン１からの音声信号をスピーカ２０４で再生する。
【００３０】
浴室外からの送話が終わり浴室外リモコン１の通話スイッチ１０５が二回目の押圧がなされると、送受話切替手段１０９は送受話切替信号生成手段１１０を作動させて特定の音声信号による送受話切替信号を送信すると共に、ＡＭ変調手段１０７を停止して制御データ通信手段１０６を作動させる。
【００３１】
そして、浴室内リモコン２は特定の音声信号による送受話切替信号をＡＭ復調手段２０８で復調し送受話切替信号フィルタ手段２１１で分離受信すると、ＡＭ復調手段２０８を停止して制御データ通信手段２０６を作動させる。
【００３２】
また、本体制御部３は特定の音声信号による送受話切替信号をＡＭ復調手段３０４で復調して送受話切替信号フィルタ手段３０５で分離受信すると、通話切替データを含む制御データを制御データ通信手段３０３を介して浴室外リモコン１および浴室内リモコン２へ送信する。
【００３３】
本体制御部３からの通話切替データを含む制御データを受信した浴室内リモコン２は、ＡＭ変調手段２０７を作動しマイク２０３で拾った音声信号をキャリア波に乗せてＡＭ変調し、浴室外リモコン１へ送信開始し、さらにスピーカ２０４を駆動して通話切替のブザー音（切替音）を発すると共に状態表示手段２０２に通話切替して受信状態から送話状態に切り替わったことを文字（例えば「送話中」）または図形（例えば「マイクの絵」や「耳の絵」）により表示する。
【００３４】
また、本体制御部３からの通話切替データを含む制御データを受信した浴室外リモコン１は、ＡＭ復調手段１０８を作動させて浴室内リモコン２からのキャリア波に乗った音声信号をスピーカ１０４で再生可能とし、さらにスピーカ１０４を駆動して通話切替のブザー音（切替音）を発すると共に状態表示手段１０２に通話切替して送話状態から受話状態に切り替わったことを文字（例えば「受話中」）または図形（例えば「スピーカの絵」や「口の絵」）により表示する。そして、ＡＭ復調手段１０８で復調した浴室内リモコン２からの音声信号をスピーカ１０４で再生する。
【００３５】
そして、浴室内の音声信号を送話開始してから一定時間Ｔが経過すると、浴室外リモコン１および浴室内リモコン２はそれぞれＡＭ復調手段１０８、ＡＭ変調手段２０７を停止して制御データ通信手段１０６、２０６を作動し、本体制御部３から送信される通話終了データを含む制御データを受信し、それぞれのスピーカ１０４、２０４を駆動して通話終了のブザー音を発すると共に、状態表示手段１０２、２０２を通常の給湯機の状態表示に戻してインターホン通話を終了するものである。
【００３６】
このように、浴室外リモコン１側でインターホン通話が要求され最初に通話スイッチを押圧した浴室外リモコン１側に送話権の決定権があるため、インターホン通話を要求した側のペースで浴室内リモコン２と通話することができ使い勝手がよいと共に、浴室内リモコン２側では入浴者が浴室内リモコン２に一切触れることのないハンズフリー通話が可能となるため、例えば洗髪中に浴室外リモコン１から通話要求があった場合などに洗髪を続けながらの通話応対が可能となるものである。
【００３７】
また、浴室内リモコン２のハンズフリー通話が可能となるので、入浴者の体調や健康状態に何らか不安があり、入浴中の事故を早期に発見するため入浴中の音の監視を行いたいといった要望に答えることが可能となる。さらに、入浴者側からは何らかの事故により浴室内リモコン２の通話スイッチ２０５を押圧することができない状態でも、浴室外の家族などによるインターホン通話による呼びかけに浴室内リモコン２の通話スイッチ２０５に触れることなく答えることができる。
【００３８】
ここで、上記説明は浴室内リモコン２が送話許可状態にあるときについてであったが、図４に基づき送話禁止状態である場合について説明すると、インターホン通話の開始前に浴室内リモコン２の通話スイッチ２０５が一定時間（例えば３秒）継続して押圧されると、送話可否切替手段２１２は浴室内リモコン２の音声を浴室外リモコン１へ送信禁止するためにＡＭ変調手段２０７を作動禁止して送話禁止状態にする。なお、このとき状態表示手段２０２に送話禁止状態である旨を表示するようにするとよいものである。
【００３９】
この状態で、浴室外リモコン１の通話スイッチ１０５が一回目の押圧がなされ、浴室外から通話要求が送信されると、浴室内リモコン２はＡＭ復調手段２０８を作動し浴室外から送話される音声信号を復調してスピーカ２０４から再生する。
【００４０】
そして、浴室外リモコン１の通話スイッチ１０５が二回目の押圧がなされ、送受話切替信号が送信されて送話権が浴室内リモコン２に移る段になるが、このとき浴室内リモコン２は送話禁止状態にあるので、浴室内の音声は浴室外リモコン１へ送話されることはなく、インターホン通話が終了する。
【００４１】
この際、浴室外リモコン１では浴室内リモコン２が送話禁止状態であることを報知するようにすればなおよいもので、報知の形態としてはスピーカ２０４から切替音とは異なるブザー音を発したり、状態表示手段２０２に浴室内リモコン２が送話禁止状態にある旨を表示するようにすればよい。
【００４２】
このように、通常は浴室内リモコン２はハンズフリーでインターホン通話が可能であるが、入浴者が浴室内の音を勝手に聞かれたくない場合には送話可否切替手段２１２によって送話禁止状態とすることができるため、入浴者自らがプライバシーを守ることが可能となる。
【００４３】
また、浴室内リモコン２が送話禁止状態であるときに、浴室外リモコン１から通話要求が送信されてきた場合、再度浴室内リモコン２の通話スイッチ２０５を一定時間押圧することで送話許可状態に戻せば、浴室外リモコン１と浴室内リモコン２の通話が可能となる。
【００４４】
次に、浴室内リモコン２の通話スイッチ２０５が一回目に押圧されてインターホン通話が開始された場合を図５、図６に示すが、その説明は省略する。
【００４５】
なお、ここでもし浴室内リモコン２が送話禁止状態になっていたとしても、浴室内リモコン２の通話スイッチ２０５が押された場合は、浴室内の入浴者がインターホン通話を望んでいるため、送話禁止状態を一時的に解除することが望ましい。そして、インターホン通話が終了したら再度送話禁止状態にして浴室外リモコン１からの通話要求があっても浴室内の音声を送話しないようにすればよいものである。
【００４６】
本発明はこの一実施形態に限定されるものではなく、浴室外リモコンからの通話要求によって浴室内リモコンでハンズフリー通話が可能なものであれば、全二重通信による同時双方向通話可能なインターホン装置でもよいものである。また、本一実施形態では制御データと音声信号とを分離して送受信しているが、これらを適当な変調方式で変調して電源信号に三重に重畳するようにしたものでもよいものである。
【００４７】
また、第１インターホンおよび第２インターホンは浴室内外のリモコンに限るものではなく、第１インタ−ホンからの通話要求によって第２インターホンでハンズフリー通話が可能なものであればどこに設置されていてもよいものである。
【００４８】
【発明の効果】
以上のように請求項１の発明によれば、一方のインターホン例えば浴室外のインターホンから通話が要求された時、この最初に通話スイッチを押圧したインターホン側に送話権の決定権があるため、インターホン通話を要求した側のペースで他方のインターホン例えば浴室内のインターホンと通話することができ使い勝手がよいと共に、インターホン通話を要求された他方のインターホンでは、入浴者がインターホンに一切触れることのないハンズフリー通話が可能となるため、例えば洗髪中に一方のインターホンから通話要求があった場合などに洗髪を続けながらの通話応対が可能となるものである。
又、通常は他方のインターホン側はハンズフリーでインターホン通話が可能であるが、例えば入浴者が浴室内の音を勝手に聞かれたくない場合には、相手のインターホンが送信した送受話切替信号を受信して送話権がこちらのインターホンに移行された時に、送話可否切替手段によって送話禁止状態となっていた時、送話禁止状態とすることができるため、入浴者自らがプライバシーを守ることが可能となる。
【００４９】
また、請求項２の発明によれば、インターホンが送話禁止状態となっていることを報知することができるものである。
【００５０】
また、請求項３の発明によれば、送話禁止状態であるインターホン側がインターホン通話を望んだ時、インターホン通話ができるものである。
【図面の簡単な説明】
【図１】本発明の一実施形態の概略構成図。
【図２】同一実施形態の浴室外リモコンから通話開始した場合に送受信する信号の説明図。
【図３】同一実施形態の浴室外リモコンから通話開始した場合の手順の説明図。
【図４】同一実施形態の浴室内リモコンが送話禁止状態で浴室外リモコンから通話開始した場合の手順の説明図。
【図５】同一実施形態の浴室内リモコンから通話開始した場合に送受信する信号の説明図。
【図６】同一実施形態の浴室内リモコンから通話開始した場合の手順の説明図。
【符号の説明】
１  浴室外リモコン（第１インターホン）
１０１  マイコン
１０２  状態表示手段（報知手段）
１０３  マイク
１０４  スピーカ（報知手段）
１０５  通話スイッチ
１０６  制御データ通信手段
１０７  ＡＭ変調手段
１０８  ＡＭ復調手段
１０９  送受話切替手段
１１０  送受話切替信号生成手段
１１１  送受話切替信号フィルタ手段
２  浴室内リモコン（第２インターホン）
２０１  マイコン
２０２  状態表示手段（報知手段）
２０３  マイク
２０４  スピーカ（報知手段）
２０５  通話スイッチ
２０６  制御データ通信手段
２０７  ＡＭ変調手段
２０８  ＡＭ復調手段
２０９  送受話切替手段
２１０  送受話切替信号生成手段
２１１  送受話切替信号フィルタ手段
２１２  送話可否切替手段
３  本体制御部
３０１  マイコン
３０２  電源供給手段
３０３  制御データ通信手段
３０４  ＡＭ復調手段
３０５  送受話切替信号フィルタ手段
【図１】
0003845268.tif 000002
【図２】
0003845268.tif 000003
【図３】
0003845268.tif 000004
【図４】
0003845268.tif 000005
【図５】
0003845268.tif 000006
【図６】
0003845268.tif 000007